(57)【特許請求の範囲】
【請求項１】
ケースと、
外形線を有する第１面を含み、前記第１面が外側を向くように前記ケースによって保持され、前記外形線が第１凹みを有する、パネルと、
前記ケース内に位置する第１部品と、
前記第１部品と外部とを連通させるための貫通孔または切欠きを有し、前記第１面を平面視したときに前記第１凹みを隠すように位置するカバーとを備え、
前記パネルは、前記第１凹みの少なくとも一部に沿って位置する第１側面と、前記外形線のうち前記第１凹み以外のいずれかの部分に沿って位置する第２側面とを有し、
前記ケースは、前記第１側面に対向する第１部位と、前記第２側面に対向する第２部位とを備え、
前記第１側面と前記第１部位との間の長さは、前記第２側面と前記第２部位との間の長
さより長い、電子機器。
【請求項２】
ケースと、
外形線を有する第１面を含み、前記第１面が外側を向くように前記ケースによって保持され、前記外形線が第１凹みを有する、パネルと、
前記ケース内に位置する第１部品と、
前記第１部品と外部とを連通させるための貫通孔または切欠きを有し、前記第１面を平面視したときに前記第１凹みを隠すように位置するカバーとを備え、
前記第１面を平面視したときに、前記第１凹みは、第１斜辺および第２斜辺を有し、前記第１斜辺および前記第２斜辺は、前記第１凹みの奥にいくほど前記第１凹みの幅が狭くなるテーパ形状をなしており、
前記パネルは、前記第１斜辺に沿って位置する第１側面と、前記外形線のうち前記第１凹み以外のいずれかの部分に沿って位置する第２側面とを有し、
前記ケースは、前記第１側面に対向する第１部位と、前記第２側面に対向する第２部位とを備え、
前記第１側面と前記第１部位との間の長さは、前記第２側面と前記第２部位との間の長さより長い、電子機器。
【請求項３】
前記第１部品は音響部品を含む、請求項１または２に記載の電子機器。
【請求項４】
前記第１部品は、前記音響部品と前記カバーとの間に位置する通気膜を含む、請求項３に記載の電子機器。
【請求項５】
前記通気膜は、防水通気膜である、請求項４に記載の電子機器。
【請求項６】
前記音響部品は、レシーバ、マイク、スピーカのうち少なくともいずれかを含む、請求項３から５のいずれかに記載の電子機器。
【請求項７】
前記パネルは、スクリーンパネルを含む、請求項１から６のいずれかに記載の電子機器。
【請求項８】
前記パネルの主材料は、サファイアである、請求項１から７のいずれかに記載の電子機器。
【請求項９】
前記カバーの主材料は、樹脂である、請求項１から８のいずれかに記載の電子機器。
【請求項１０】
前記ケースは第１筐体部品と第２筐体部品とを備え、
前記カバーは、前記第１筐体部品に対して係合する第１部分を備え、前記カバーが前記第１部分によって前記第１筐体部品に対して係合した状態で前記第２筐体部品が前記ケースに対して組み合わさることによって前記カバーは固定されている、請求項１から９のいずれかに記載の電子機器。
【請求項１１】
前記第１部分は、前記カバーが前記第１面に平行な方向に摺動することで前記第１筐体部品に嵌合する構造を含み、前記第２筐体部品は、前記第１部分の少なくとも一部を覆うように前記第１筐体部品に対して組み合わさっている、請求項１０に記載の電子機器。
【請求項１２】
前記外形線は、前記第１凹みがある第１区間と、前記第１区間に連なり、前記第１区間より張り出している第２区間とを有し、前記第２区間において前記パネルに重なるように前記ケース内に第２部品が位置する、請求項１から１１のいずれかに記載の電子機器。
【請求項１３】
前記パネルは、前記第２斜辺に沿って位置する第３側面を有し、
前記ケースは、前記第３側面に対向する第３部位を備え、
前記ケースのうち前記第１斜辺の近傍部分の方が前記第２斜辺の近傍部分より変形しやすく、
前記第１側面と前記第１部位との間の長さは、前記第３側面と前記第３部位との間の長さより長い、請求項２に記載の電子機器。
【発明の詳細な説明】
【技術分野】
【０００１】
本開示は、電子機器に関する。
【背景技術】
【０００２】
たとえば特開２０１５−８８８１３号公報（特許文献１）に記載されているように、電子機器に関して様々な技術が提案されている。
【先行技術文献】
【特許文献】
【０００３】
【特許文献１】特開２０１５−８８８１３号公報
【発明の概要】
【発明が解決しようとする課題】
【０００４】
電子機器においては、ディスプレイの表示面を覆うパネルが設けられる場合がある。この電子機器を落下させたりこの電子機器に衝撃を与えたときなど、このパネルが破損する可能性がある。
【０００５】
電子機器に備わるいくつかの部品を配置する上で、パネルの形状が制約となる場合がある。電子機器に内蔵させる部品を外部と連通させる必要がある際に、パネルの存在が妨げとなる場合がある。部品と外部とを連通させるためにパネルに貫通孔を設けることも考えられるが、このような貫通孔をパネルに設けた場合、パネルの強度は大幅に下がってしまう。
【０００６】
そこで、本開示は、電子機器における部品配置の自由度を高くしつつ、パネルの破損をなるべく起こりにくくすることができる電子機器を提供することを目的とする。
【課題を解決するための手段】
【０００７】
上記目的を達成するため、本開示に基づく電子機器は、ケースと、パネルと、第１部品と、カバーとを備える。上記パネルは、外形線を有する第１面を含み、上記第１面が外側を向くように上記ケースによって保持される。上記外形線は第１凹みを有する。上記第１部品は、上記ケース内に位置する。上記カバーは、上記第１部品と外部とを連通させるための貫通孔または切欠きを有し、上記第１面を平面視したときに上記第１凹みを隠すように位置する。
【発明の効果】
【０００８】
本開示によれば、電子機器における部品配置の自由度を高くしつつ、パネルの破損をなるべく起こりにくくすることができる。
【図面の簡単な説明】
【０００９】
【図１】本開示に基づく実施の形態１における電子機器の平面図である。
【図２】本開示に基づく実施の形態１における電子機器の部分拡大平面図である。
【図３】本開示に基づく実施の形態１における電子機器からカバーを取り外した状態の部分拡大平面図である。
【図４】図２におけるＩＶ−ＩＶ線に関する矢視断面図である。
【図５】図４におけるＺ１部の拡大図である。
【図６】本開示に基づく実施の形態１における電子機器に含まれるカバーの第１の斜視図である。
【図７】本開示に基づく実施の形態１における電子機器に含まれるカバーの第２の斜視図である。
【図８】本体にカバーを取り付ける様子の説明図である。
【図９】本体にカバーを取り付けた状態の部分的斜視図である。
【図１０】本体にカバーおよび第２筐体部品を取り付けた状態の部分的斜視図である。
【図１１】図２におけるＸＩ−ＸＩ線に関する矢視断面図である。
【図１２】図１１におけるＺ２部の拡大図である。
【図１３】図１１におけるＺ３部の拡大図である。
【図１４】パネルの第１凹みの第１の例の平面図である。
【図１５】パネルの第１凹みの第２の例の平面図である。
【図１６】パネルの第１凹みの第３の例の平面図である。
【図１７】パネルの第１凹みの第４の例の平面図である。
【図１８】パネルの第１凹みの第５の例の平面図である。
【図１９】パネルの第１凹みの第６の例の平面図である。
【図２０】パネルの第１凹みがない部分に他の部品を配置する例の説明図である。
【図２１】本開示に基づく実施の形態２における電子機器の第１の例の平面図である。
【図２２】本開示に基づく実施の形態２における電子機器の第２の例の平面図である。
【図２３】本開示に基づく実施の形態２における電子機器の第３の例の平面図である。
【図２４】本開示に基づく実施の形態２における電子機器の第４の例の平面図である。
【図２５】本開示に基づく実施の形態３における電子機器に備わるパネルの部分平面図である。
【図２６】本開示に基づく実施の形態３における電子機器に備わるパネルの部分斜視図である。
【図２７】本開示に基づく実施の形態３における電子機器からカバーを取り外した状態の部分拡大平面図である。
【図２８】本開示に基づく実施の形態３における電子機器からカバーを取り外した状態の部分斜視図である。
【図２９】図２８の一部をさらに拡大した部分斜視図である。
【図３０】図２９に示した構造からパネルなどを取り外した状態の部分斜視図である。
【図３１】本開示に基づく実施の形態４における電子機器からカバーを取り外した状態の部分拡大平面図である。
【図３２】図３１の一部をさらに拡大した部分平面図である。
【図３３】本開示に基づく実施の形態５における電子機器からカバーを取り外した状態の部分拡大平面図である。
【図３４】図３３の一部をさらに拡大した部分平面図である。
【図３５】本開示に基づく実施の形態６における電子機器からカバーを取り外した状態の部分拡大平面図である。
【図３６】図３５に示した構造からパネルを取り外した状態の部分拡大平面図である。
【図３７】図３６に示した構造から表示パネルを取り外した状態の部分拡大平面図である。
【発明を実施するための形態】
【００１０】
図面において示す寸法比は、必ずしも忠実に現実のとおりを表しているとは限らず、説明の便宜のために寸法比を誇張して示している場合がある。以下の説明において、上または下の概念に言及する際には、絶対的な上または下を意味するとは限らず、図示された姿勢の中での相対的な上または下を意味する場合がある。
【００１１】
（実施の形態１）
（構成）
図１〜図１３を参照して、本開示に基づく実施の形態１における電子機器について説明する。
【００１２】
図１に、本実施の形態における電子機器１０１の外観を示す。電子機器１０１は、図１に示すように、ケース１とパネル２とカバー３とを備える。パネル２は透明なパネルであってよい。パネル２の向こう側には、表示パネルが配置されていてよい。表示パネルは、たとえば液晶表示パネル、有機ＥＬ表示パネル、無機ＥＬ表示パネルなどのいずれかであってよい。表示パネルが表示する画像がパネル２を透過して手前から視認可能となることによって、パネル２の表面の少なくとも一部が表示領域２５となっていてよい。図１に示した例では、パネル２の表面が長方形の表示領域２５を含んでいる。パネル２と表示パネルとの間に挟まれるようにタッチパネルが配置されていてもよい。電子機器１０１は、側面にボタンを備えていてもよい。電子機器１０１は、図１における手前の面のいずれかの位置にボタンを備えていてもよい。
【００１３】
図１に示した電子機器１０１のうちカバー３の近傍を拡大したところを図２に示す。
図２に示すように、パネル２は、第１面２ａを含む。図２に示す電子機器１０１からカバー３を取り外した状態を図３に示す。第１面２ａは、外形線１０を有する。外形線１０は、第１辺１３を含む。図２および図３に示す例では、第１面２ａの外形線１０全体を略長方形と見立てたときの長方形の短辺に相当する辺を「第１辺１３」としている。第１面２ａの角が丸くなっている場合には、この角の丸みの部分は第１辺１３に含んでも含まなくてもよい。パネル２にとっての第１辺１３の捉え方の一例は、後述する図２０においても模式的に示されている。図２では、第１辺１３の大部分は、カバー３によって隠されていたが、図３では、第１辺１３の大部分は隠されることなく露出している。パネル２は、第１面２ａが外側を向くようにケース１によって保持されている。外形線１０は、第１凹み１５を有する。第１凹み１５は、外形線１０のうち第１辺１３において設けられている。
【００１４】
図２におけるＩＶ−ＩＶ線に関する矢視断面図を図４に示す。図４に示すように、電子機器１０１は、ケース１内に位置する第１部品３１を備える。第１部品３１は、通気膜７と音響部品８とを含む。図４に示す例では、パネル２に重なるように表示パネル３６が配置されている。パネル２と表示パネル３６との間にタッチパネル３７が配置されている。
【００１５】
カバー３は、第１部品３１と外部とを連通させるための貫通孔または切欠きを有する。図１、図２および図４に示した例では、カバー３は貫通孔６を有する。貫通孔６は、たとえば第１部品３１が発する音声を外部に伝えるためのものであってよい。図１、図２および図４に示した貫通孔６の形状はあくまで一例であって、これに限らない。カバー３に設けられる貫通孔は、ここで示したのと異なる形状であってもよい。カバー３は、第１部品３１と外部とを連通させるためのものとして、貫通孔６の代わりに切欠きを有してもよい。カバー３が、第１部品３１と外部とを連通させるためのものとして切欠きを有している例について詳しくは、後述する。
【００１６】
カバー３は、第１面２ａに垂直な方向から見たときに第１凹み１５を隠すように位置する。「第１面２ａに垂直な方向から見たとき」とは、図１または図２に示すような姿勢で見たときのことである。図２に示すように、カバー３は、第１凹み１５を隠すように位置する。図２では、第１凹み１５は、カバー３に隠されているので、破線で示されている。
【００１７】
図４におけるＺ１部を拡大したところを図５に示す。パネル２は、ケース１の少なくとも一部によって支持されていてよい。この例では、パネル２は第１筐体部品１ａによって支持されている。第１筐体部品１ａは、ケース１の一部または全部である。カバー３は、ケース１に接していてよい。ケース１は、張出部２８を含む。音響部品８から出た音は、そのまま図４における上向きに直進してカバー３の貫通孔６を通るとは限らず、図４に示すようにずれた位置にある貫通孔６を通るように導かれてもよい。図４に示した例では、貫通孔６は、音響部品８に比べて電子機器１０１の端に近い位置にある。ケース１の形状を適宜設計することにより、所望の位置の貫通孔６と音響部品８とを、音声が通るための通路で結ぶことができる。通路は直線状とは限らずこのように曲がっていてもよい。図５に示すように、ケース１が張出部２８を有することによって、音声は、音響部品８の投影領域からずれた位置へと誘導されうる。音声が電子機器１０１の外部から貫通孔６を通じて入ってきて音響部品８に向かう場合についても同様である。
【００１８】
カバー３を単独で取り出したところを図６に示す。カバー３を裏返したところを図７に示す。カバー３は、第２面３ａと、第３面３ｂと、第４面３ｃと、第５面３ｄとを有する。第２面３ａ、第３面３ｂ、第４面３ｃおよび第５面３ｄは、平面とは限らず曲面であってもよい。第２面３ａ、第３面３ｂ、第４面３ｃおよび第５面３ｄは、表面に何らかの凹凸を含んでいてもよい。第３面３ｂは第２面３ａの裏側である。第５面３ｄは第４面３ｃの裏側である。第２面３ａと第４面３ｃとは、ほぼ垂直をなしていてよい。第２面３ａと第４面３ｃとは、滑らかな曲面を通じてつながっていてもよい。第３面３ｂと第５面３ｄとはほぼ垂直をなしていてよい。
【００１９】
カバー３の第３面３ｂには、突起５１ａ，５１ｂが設けられている。突起５１ａ，５１ｂは、Ｔ字形の断面形状を有し、一定の方向９１に延在している。突起５１ａ，５１ｂは、矢印９０の側から見たときＴ字形となっている。ここでいう「Ｔ字形」とは、正確なＴ字形状に限らず、ほぼＴ字形とみなせる形状を含む概念である。突起５１ａ，５１ｂの各々において、一方の端は、第５面３ｄにつながっていてよい。
【００２０】
カバー３の第５面３ｄには、突起５３ａ，５３ｂ，５３ｃ，５３ｄが設けられている。突起５３ａ，５３ｂ，５３ｃ，５３ｄは、第５面３ｄにほぼ平行な長方形の面を有する。
【００２１】
第１筐体部品１ａを含む複数の部品が組み立てられたものである本体に対して、カバー３が取り付けられる様子を図８に示す。カバー３は、矢印９２の向きに第１筐体部品１ａに取り付けられる。第１筐体部品１ａはケース１の一部である。カバー３は、第１筐体部品１ａに対して、方向９１に沿って抜き差し可能となっている。第１筐体部品１ａは、凹部５４ａ，５４ｂ，５４ｃ，５４ｄを有する。凹部５４ａ，５４ｂ，５４ｃ，５４ｄはほぼ長方形の凹部である。凹部５４ａ，５４ｂ，５４ｃ，５４ｄは、突起５３ａ，５３ｂ，５３ｃ，５３ｄをそれぞれ受け入れるためのものである。本体に対してカバー３を取り付けた後の状態を図９に示す。さらに第２筐体部品４を取り付けた状態を図１０に示す。第２筐体部品４は、カバー３の一部を覆うようにして本体に取り付けられている。
【００２２】
図２におけるＸＩ−ＸＩ線に関する矢視断面図を図１１に示す。ケース１に対してカバー３が取り付けられている。図１１におけるＺ２部を拡大したところを図１２に示す。突起５１ａが凹部５２ａに収まっている。図１１におけるＺ３部を拡大したところを図１３に示す。突起５１ｂが凹部５２ｂに収まっている。図８における方向９１が、図１２および図１３における紙面手前奥方向に相当する。
【００２３】
（作用・効果）
本実施の形態では、パネル２の外形線１０が第１凹み１５を有しており、第１部品３１と外部とを連通させるための貫通孔または切欠きを有するカバー３が、第１凹み１５を隠すように位置するので、パネル２の第１凹み１５は保護される。したがって、第１凹み１５の存在によって、電子機器における部品配置の自由度を高くしつつ、カバー３によって第１凹み１５が隠されることによって、パネル２の破損をなるべく起こりにくくすることができる。
【００２４】
本実施の形態で示したように、第１部品３１は音響部品８を含んでもよい。音響部品８は、音を扱う部品であればよい。音響部品８は、音の入力を受ける部品であってもよく、音の出力をする部品であってもよい。音響部品８は、音の入力と出力との両方を行なう部品であってもよい。音響部品は、単一部品とは限らず複数の部品の集合体であってもよい。第１部品３１が音響部品である場合には、音を通過させるために、パネル２が遮っていない部位が必要となるが、本実施の形態で示したように、パネル２の外形線１０が第１凹み１５を有していることにより、この部位に第１部品３１を配置することが可能となり、パネル２によって音を遮られることなく第１部品３１を有効に使用することができる。したがって、部品配置にとって好都合である。
【００２５】
第１部品は、音響部品とは限らず、他のものであってもよい。たとえば、第１部品はボタンを含んでいてもよい。電子機器にボタンを配置する際にも、パネル２が遮っていない領域が必要であるので、同様のことがいえる。
【００２６】
本実施の形態で示したように、第１部品３１は、音響部品８と前記カバーとの間に位置する通気膜７を含んでもよい。通気膜７は、音響部品８と接していなくてもよい。通気膜７は、第１部品３１の一部である。このように通気膜７があることにより、カバー３の貫通孔または切欠きを介して侵入した異物が音響部品８に到達することを困難にすることができる。
【００２７】
通気膜７は、防水通気膜であってもよい。この構成を採用することにより、カバー３の貫通孔または切欠きを介して侵入した水が音響部品８に到達することを困難にすることができる。防水通気膜が適切に配置されることにより、電子機器に防水性能をもたせることができる。
【００２８】
音響部品８は、レシーバ、マイク、スピーカのうち少なくともいずれかを含んでもよい。本実施の形態では、一例として、音響部品８はレシーバを含むものとして示した。たとえば音響部品８がレシーバを含む場合、ユーザは貫通孔６を耳の付近に位置付けることによって音声を聞くことができる。たとえば音響部品８がスピーカを含む場合、貫通孔６を通じて周囲に音声を放出することができる。
【００２９】
パネル２は、スクリーンパネルを含んでもよい。
パネル２の主材料は、サファイアであってもよい。この構成を採用することにより、パネル２を平滑性などの特性において優れたものとすることができる。
【００３０】
パネル２は、たとえば一方向に長い板状であってよい。パネル２は、表示パネル３６の表示面と対向する内側主面と、内側主面とは反対側に位置する外側主面とを有している。外側主面は第１面２ａと同義である。パネル２は、サファイア単結晶からなっていてもよい。ここで、サファイア単結晶とは、アルミナ（Ａｌ2Ｏ3）の単結晶のことをいい、本明細書では、Ａｌ2Ｏ3純度が約９０％以上の単結晶のことをいう。Ａｌ2Ｏ3純度は９９％以上であれば、パネル２は傷がよりつきにくく、割れや欠けなどがより生じにくいようにすることができる。パネル２の材料は、サファイアに限らず、たとえば、ガラス、樹脂などであってもよい。
【００３１】
パネル２は、表示パネル３６の表示が透過する透明の表示領域２５を有している。表示領域２５は表示窓とも呼ばれる。表示領域２５はたとえば平面視したときに長方形をなしている。表示パネル３６から出力される可視光は表示領域２５を通って電子機器１０１の外部に取り出される。ユーザは、電子機器１０１の外部から、表示領域２５を通じて、表示パネル３６に表示される情報を視認することが可能である。
【００３２】
パネル２における、表示領域２５を取り囲む周端部（周縁部）の大部分は、たとえばフィルムなどが貼られることによって黒色となっていてよい。これにより、周端部の大部分は、表示パネル３６の表示が透過しない非表示部分となっていてよい。
【００３３】
カバー３の主材料は、樹脂であってもよい。この構成を採用することにより、カバー３で衝撃をある程度吸収することが可能となるので、電子機器の耐衝撃性を高めることができる。
【００３４】
図４に示すように、ケース１は、第１筐体部品１ａと第２筐体部品４とを備えてもよい。カバー３は、第１筐体部品１ａに対して係合する第１部分を備える。カバー３が前記第１部分によって第１筐体部品１ａに対して係合した状態で第２筐体部品４がケース１に対して組み合わさることによってカバー３は固定されていてもよい。ここでいう「第１部分」は、突起５１ａ，５１ｂ、突起５３ａ，５３ｂ，５３ｃ，５３ｄ、凹部５２ａ，５２ｂ、凹部５４ａ，５４ｂ，５４ｃ，５４ｄを含む。図４では、第１部分の一部である突起５３ｃおよび凹部５４ｃが見えている。図４では、突起５３ｃが凹部５４ｃに収まった状態で、その右側に第２筐体部品４が被さっている。第２筐体部品４が第１筐体部品１ａに対してこのように組み合わさることによって、突起５３ｃは凹部５４ｃから抜け出すことができなくなっている。このようにしてカバー３は固定されている。ここでは、突起５３ｃと凹部５４ｃと第２筐体部品４との関係に注目して説明したが、突起５１ａと凹部５２ａとの間でも同様であり、第２筐体部品４が第１筐体部品１ａに対して組み合わさることによって、突起５１ａは凹部５２ａから抜け出すことができなくなっている。突起５１ｂと凹部５２ｂとの間でも同様である。突起５３ｂと凹部５４ｂとの間でも同様である。突起５３ｄと凹部５４ｄとの間でも同様である。突起５３ａと凹部５４ａとの間でも同様である。この構成を採用することにより、第２筐体部品４を先に外さない限りはカバー３が第１筐体部品１ａから外れることは困難となる。したがって、電子機器に衝撃が加わったときにカバー３が不所望に外れるという事態を起こりにくくすることができる。
【００３５】
本実施の形態で示したように、前記第１部分は、カバー３が第１面２ａに平行な方向９１に摺動することで第１筐体部品１ａに嵌合する構造を含み、第２筐体部品４は、前記第１部分の少なくとも一部を覆うように第１筐体部品１ａに対して組み合わさっていてよい。ここで示した例では、第１部分は、「第１面２ａに平行な方向９１に摺動することで第１筐体部品１ａに嵌合する構造」として、突起５１ａ，５１ｂを含んでいる。これはあくまで一例であって、他の構造であってもよい。
【００３６】
（第１凹みのバリエーション）
第１凹み１５は、上述したように、パネル２の第１面２ａの第１辺１３に存在する凹みである。以下、第１凹み１５のバリエーションについて説明する。第１凹み１５は、たとえば図１４に示すように長方形の凹みであってもよい。第１凹み１５は、図１５に示すように台形の凹みであってもよい。図１４に示したように第１凹み１５が長方形の凹みである場合に比べれば、図１５に示すように第１凹み１５を台形の凹みとすることで、直角な角を無くすことができ、パネル２の強度を高めることができる。さらに、図１６に示すように、台形の凹みにおいて生じる角に丸みをもたせることとすれば、衝撃による破損をより起こりにくくすることができる。図１６に示したものは、図３に示した第１凹み１５と近い形状である。図３に示すように、第１面２ａに垂直な方向から見たときに、第１凹み１５は、角に丸みを有する台形の凹みであってよい。第１面２ａを平面視したときに、第１凹み１５は、２つの斜辺を含み、前記２つの斜辺は、第１凹み１５の奥にいくほど第１凹み１５の幅が狭くなるテーパ形状をなしてもよい。
【００３７】
第１凹み１５は、主に第１部品３１と外部とを連通させるスペースを確保しやすくするために設けられるものであるが、確保すべきスペースが小さい場合には、図１７に示すようなものであってもよい。図１７に示す例では、第１凹み１５は、半円形となっている。確保すべきスペースが一定の長さを有する場合には、図１４〜図１６に示したような形状で第１凹み１５の幅を広げることも考えられるが、たとえば図１８に示すように、２つの四分の一円と１本の直線とを組み合わせた形状で第１凹み１５を設けることとしてもよい。
【００３８】
他に、たとえば図１９に示すように、Ｖ字形状の凹みとして第１凹み１５を設けることとしてもよい。図１４〜図１９に示したのは、あくまでいくつかの代表例に過ぎず、実際には、第１凹み１５の形状としては、ここで挙げた以外にもさまざまな形状が採用可能である。
【００３９】
（第２部品）
本実施の形態では、第１部品３１がケース１内にあるものとして説明したが、ケース１内には第１部品３１以外にもさまざまな部品が存在してもよい。パネル２の第１面２ａの第１辺１３が第１凹み１５を有し、かつ、パネル２に重ねて配置すべき他の部品がある場合には、第１凹み１５がない部分に他の部品を配置することとしてもよい。第１凹み１５がない部分は第１凹み１５に比べて相対的に張り出しているといえるので、この張り出した部分に重なるように他の部品を配置することができる。その一例を図２０に示す。図２０ではケース１を図示省略しているが、ケース１の内部空間は、図２０におけるパネル２の紙面奥側に広がっている。外形線１０は、第１凹み１５がある第１区間１４と、第１区間１４に連なり、第１区間１４より張り出している第２区間１６ａ，１６ｂとを有する。図２０に示したように、第２区間１６ａ，１６ｂにおいてパネル２に重なるようにケース１内に第２部品３２ａ，３２ｂが位置してもよい。この構成を採用することにより、限られたスペースを有効活用して各部品を配置することができる。第２部品３２ａ，３２ｂは、第１凹み１５がないことによって相対的に張り出した部分の中に完全に収まるとは限らない。図２０に示すように、第２部品３２ａ，３２ｂの全体ではなく一部のみが、張り出した部分に入り込むように配置されていてもよい。
【００４０】
図２、図３などには、領域２６ａ，２６ｂ，２６ｃが示されている。領域２６ａ，２６ｂ，２６ｃは、たとえばパネル２を介して光を入射または出射させるための領域であってよい。領域２６ａ，２６ｂ，２６ｃは、光以外の何かを通過させるための領域であってもよい。領域２６ａ，２６ｂ，２６ｃにおいては、パネル２に何らかの開口部が設けられている必要はない。領域２６ａ，２６ｂ，２６ｃにおいては、ケース１の内部に何らかの部品が配置されていてもよい。領域２６ａ，２６ｂ，２６ｃを利用可能なようにケース１の内部に配置される部品としては、たとえば発光ダイオード（Light Emitting Diode）、照度センサ、近接センサなどが挙げられる。第２部品３２ａ，３２ｂはこれらのうちのいずれかであってよい。第２部品が発光ダイオードである場合には、パネル２を通じて光を外部に向けて出射することができるので、電子機器から何らかの情報をユーザに知らせるためのランプとすることができる。第２部品が照度センサである場合には、パネル２を通じて外部からの光を受光し、外部環境の明るさを検出することができる。
【００４１】
（実施の形態２）
実施の形態１では、カバー３が第１部品３１と外部とを連通させるためのものとして貫通孔６を有している例を、電子機器１０１として説明した。上述したように、カバー３は貫通孔６の代わりに切欠きを有していてもよいので、カバー３が切欠きを有している例を実施の形態２として示す。実施の形態２では、実施の形態１と共通する事項については説明を繰り返さない。
【００４２】
本開示に基づく実施の形態２における電子機器の第１の例としては、たとえば図２１に示す電子機器１０２のようなものも考えられる。電子機器１０２においては、カバー３は、切欠き６ｉを有する。切欠き６ｉはＴ字形となっており、パネル２の中央に向かって開放されている。図２１では、切欠き６ｉの中にパネル２の外形線の一部が見えている。
【００４３】
本開示に基づく実施の形態２における電子機器の第２の例としては、たとえば図２２に示す電子機器１０３のようなものも考えられる。電子機器１０３においては、カバー３は、切欠き６ｊを有する。切欠き６ｊは逆Ｔ字形となっており、パネル２から遠ざかる側、すなわち、電子機器１０３の端に向かって開放されている。
【００４４】
本開示に基づく実施の形態２における電子機器の第３の例としては、たとえば図２３に示す電子機器１０４のようなものも考えられる。電子機器１０４においては、カバー３は、切欠き６ｋを有する。切欠き６ｋはパネル２の中央に向かって開放されている。切欠き６ｋは図２３に示したように一定幅であってもよい。切欠き６ｋは途中で幅が変化する形状であってもよい。図２３では、切欠き６ｋの中にパネル２の外形線の一部が見えている。
【００４５】
本開示に基づく実施の形態２における電子機器の第４の例としては、たとえば図２４に示す電子機器１０５のようなものも考えられる。電子機器１０５においては、カバー３は、切欠き６ｎを有する。切欠き６ｎはパネル２から遠ざかる側すなわち電子機器１０５の端に向かって開放されている。切欠き６ｎは図２４に示したように一定幅であってもよい。切欠き６ｎは途中で幅が変化する形状であってもよい。
【００４６】
本実施の形態における電子機器として、切欠きの形状をいくつか例示したが、これらはあくまで例示であって、切欠きの形状はここで示したものに限らない。切欠きは、ここで示したのと異なる形状であってもよい。
【００４７】
図２１〜図２４では、切欠きの中にパネルの外形線の一部が見えている例も示したが、カバーに設ける切欠きは、このようにパネルの外形線の一部を露出させてもよい。第１凹みの一部をなす線が、カバーに設けられた切欠きの中で露出していてもよい。カバーは、第１面を平面視したときに第１凹みの一部を隠すように位置するものであってもよい。
【００４８】
（実施の形態３）
図３、図５、図２５〜図３０を参照して、本開示に基づく実施の形態３における電子機器について説明する。本実施の形態における電子機器は、実施の形態１における電子機器と同じ構成であってもよいが、注目している構成が実施の形態１とは異なるので、実施の形態１とは別の実施の形態として説明する。
【００４９】
本実施の形態における電子機器からパネル２のみを取り出したときのパネル２の一部を図２５に示す。第１面２ａを平面視したときに、第１凹み１５は、第１斜辺１７ａおよび第２斜辺１７ｂを有し、第１斜辺１７ａおよび第２斜辺１７ｂは、第１凹み１５の奥にいくほど第１凹み１５の幅が狭くなるテーパ形状をなす。
【００５０】
パネル２の第１凹み１５近傍の斜視図を図２６に示す。本実施の形態における電子機器においてカバー３を取り外した状態は、実施の形態１において図３に示したものと同じである。図３では、パネル２の外形線１０とケース１の一部との間に隙間６１ｅが見えていた。隙間６１ｅは、第１凹み１５の内側において外形線１０の一部に沿うように設けられていた。図３における隙間６１ｅの近傍を拡大したところを図２７に示す。図３における第１凹み１５の近傍の斜視図を図２８に示す。図２８の一部をさらに拡大したところを図２９に示す。
【００５１】
パネル２は、図２６に示すように、第１凹み１５の少なくとも一部に沿って位置する第１側面２１と、外形線１０のうち第１凹み１５以外のいずれかの部分に沿って位置する第２側面２２とを有する。ケース１は、図２７に示すように、第１側面２１に対向する第１部位７５と、第２側面２２に対向する第２部位７６とを備える。第１側面２１と第１部位７５との間の長さは、第２側面２２と第２部位７６との間の長さより長い。
【００５２】
本明細書において、パネル２の側面とその側面に対向するケースの部位との間の長さに言及する際には、とりうる長さのうちで最小の長さを意味する。
【００５３】
図２５、図２６などに例示したように、第１凹み１５が、第１斜辺１７ａおよび第２斜辺１７ｂを有する場合には、以下のように表現することができる。パネル２は、第１斜辺１７ａに沿って位置する第１側面２１と、外形線１０のうち第１凹み１５以外のいずれかの部分に沿って位置する第２側面２２とを有する。ケース１は、第１側面２１に対向する第１部位７５と、第２側面２２に対向する第２部位７６とを備える。第１側面２１と第１部位７５との間の長さは、第２側面２１と第２部位７６との間の長さより長い。
【００５４】
図２８に示した構造からパネル２、通気膜７などを取り外した状態を図３０に示す。ケース１は、ケース第１部分１１とケース第２部分１２とを備える。図３０に示すように、ケース第１部分１１とケース第２部分１２は、それぞれ上面を有している。ケース第１部分１１の上面とケース第２部分１２の上面は、高さが異なっている。
【００５５】
図５に示すように、ケース１は、パネル２の第１面２ａとは反対側の面２ｂに当接するケース第１部分１１と、ケース第１部分１１から、第１面２ａに垂直な方向に突出するケース第２部分１２とを備える。図２７に示すように、第１面２ａに垂直な方向から見たとき、ケース第２部分１２の外形線は、少なくとも第１凹み１５内においてパネル２から遠ざかる向きに第１面２ａの外形線１０をオフセットした線から、パネル２からさらに遠ざかる向きに逸脱している部分１２ｅを含む。この構成を採用することにより、部分１２ｅによって生じる隙間６１ｅの分だけ、ケース１の変形がパネル２に伝わりにくいようにすることができる。隙間６１ｅがあることにより、ケース１の変形をある程度まで許容することが可能となるので、落下などによる衝撃が電子機器に加わった際に、パネル２の第１凹み１５近傍においてケース１の変形した部分がパネル２に負荷を与えてパネル２を破損させる確率を低減させることができる。
【００５６】
図３などに示した例では、第１面２ａを平面視したときに、第１凹み１５は、２つの斜辺を含み、これら２つの斜辺は、第１凹み１５の奥にいくほど第１凹み１５の幅が狭くなるテーパ形状をなしているが、このように２つの斜辺がある場合には、第１面２ａの外形線１０をオフセットした線から逸脱する部分１２ｅは、２つの斜辺のうち１つに沿うように設けられていてもよい。この構成を採用することにより、落下などによる衝撃が電子機器に加わった際に、斜辺の１つにおいてケース１の変形した部分がパネル２に負荷を与えてパネル２を破損させる確率を低減させることができる。
【００５７】
（実施の形態４）
図３１〜図３２を参照して、本開示に基づく実施の形態４における電子機器について説明する。本実施の形態における電子機器においてカバー３を取り外した状態を図３１に示す。図３１の一部を拡大したところを図３２に示す。
【００５８】
実施の形態３では、ケース第２部分１２の外形線は、第１面２ａの外形線１０をオフセットした線から逸脱している部分１２ｅを備えていたが、本実施の形態における電子機器は、部分１２ｅに代えて部分１２ｆを備える。部分１２ｆでは、部分１２ｅに比べて、外形線１０をオフセットした線から逸脱する量が大きくなっている。部分１２ｆは、ケース第２部分１２の外形線はパネル２の斜辺とは無関係な形状となっている。部分１２ｆが大きく後退した結果、ケース第２部分１２とパネル２との間に隙間６１ｆが生じている。隙間６１ｆは略直角三角形の形状を有する。この構成を採用することにより、部分１２ｆにおいては、ケース第２部分１２の外形線がパネル２の第１面２ａの外形線１０から大きく離れているので、ケース１の変形した部分がパネル２に負荷を与えてパネル２を破損させる確率を、さらに低減させることができる。
【００５９】
図３２では隙間６１ｆの右下でケース第２部分１２の直角の角が外形線１０に接しているが、この角は直角ではなく丸みを有していてもよい。角が丸みを有している方が力の作用点を分散できるので、パネル２が破損しにくくなる。
【００６０】
実施の形態３，４では、第１凹み１５の２つの斜辺のうち一方のみに対応するように逸脱する部分１２ｅ，１２ｆが設けられていたが、逸脱する部分は２つの斜辺の両方に設けられていてもよい。逸脱する部分が第１凹み１５の２つの斜辺の両方に設けられる場合には、逸脱する部分は対称に設けられてもよく、非対称に設けられてよい。
【００６１】
（実施の形態５）
図３３〜図３４を参照して、本開示に基づく実施の形態５における電子機器について説明する。本実施の形態における電子機器においてカバー３を取り外した状態を図３３に示す。図３３の一部を拡大したところを図３４に示す。
【００６２】
実施の形態３では、ケース第２部分１２の外形線は、第１面２ａの外形線１０をオフセットした線から逸脱している部分１２ｅを備えていたが、本実施の形態における電子機器は、部分１２ｅに代えて部分１２ｈを備える。部分１２ｈでは、部分１２ｅに比べて、外形線１０をオフセットした線から逸脱している区間が長くなっている。部分１２ｈは、第１凹み１５の左端から右端までの全体にわたって、外形線１０をオフセットした線から逸脱している。この構成を採用することにより、部分１２ｈにおいては、広い範囲においてケース第２部分１２の外形線がパネル２の第１面２ａの外形線１０から離れ続けているので、ケース１の変形した部分がパネル２に負荷を与えてパネル２を破損させる確率を、低減させることができる。
【００６３】
（実施の形態６）
図２６、図３５〜図３７を参照して、本開示に基づく実施の形態６における電子機器について説明する。本実施の形態における電子機器は、実施の形態１における電子機器と同じ構成であってもよいが、注目している構成が実施の形態１とは異なるので、実施の形態１とは別の実施の形態として説明する。
【００６４】
本実施の形態における電子機器においてカバー３を取り外した状態を図３５に示す。図３３では、第１凹み１５の中心を通る線６５を表示している。図３５に示した構造からパネル２を取り外した状態を図３６に示す。図３６では、パネル２の撤去に伴ってタッチパネル３７（図４参照）も取り除かれている。図３６では、表示パネル３６が見えている。表示パネル３６の一端からはフレキシブル基板３８が延在している。ケース１には、開口部３９が設けられている。開口部３９の幅は、フレキシブル基板３８の幅より大きい。フレキシブル基板３８は、開口部３９を通って図３６の紙面手前側から紙面奥側へと引き出されている。
【００６５】
図３６に示した構造から表示パネル３６を取り外した状態を図３７に示す。図３７では、表示パネル３６の撤去に伴ってフレキシブル基板３８も取り除かれている。ケース１に設けられた開口部３９は、線６５に対して非対称な位置にある。ケース１には、開口部６８，６９が設けられている。ケース１は、開口部３９、開口部６８，６９などに起因して左右非対称な構造となっている。ケース１は領域６６，６７の２つに分けて把握することができる。ケース１は、くびれ部７０，７１を備える。領域６６内にあるくびれ部７０の方が、領域６７内にあるくびれ部７１より細くなっている。本実施の形態では、くびれ部７０，７１の太さの違いに起因して、領域６７より領域６６の方が変形しやすい。
【００６６】
本実施の形態では、第１凹み１５の奥行き方向に平行で第１凹み１５の中心を通る線６５でケース１を２分割したとき、２分割されて得られるケース１の２つの領域６６，６７は変形しやすさが異なっており、逸脱している部分１２ｅは、前記２つの領域のうち変形しやすい方に対応するように位置する。本実施の形態で示す例では、領域６６の方が領域６７より変形しやすい。逸脱している部分１２ｅは、領域６６に対応するように位置する。この構成を採用することにより、変形しやすい領域に対応するようにして、逸脱している部分が設けられているので、落下などによる衝撃が電子機器に加わった際に、ケース１の変形した部分がパネル２に負荷を与えてパネル２を破損させる確率を効果的に低減させることができる。
【００６７】
本実施の形態では、一例として、くびれ部７０，７１の太さの違いに起因して領域６７より領域６６の方が変形しやすいものとしたが、実際には、２つの領域６６，６７のいずれがより変形しやすいかは、このように単純に定まるものとは限らない。領域の変形しやすさには、くびれ部の太さだけでなく、くびれ部の数、形状が影響する場合もある。領域の変形しやすさに、開口部の数、大きさ、位置関係が影響する場合もある。各領域に含まれる材料の種類、部材の厚み、断面形状などが、各領域の変形しやすさに影響する場合もある。変形しやすさは、総合的に定まるものである。
【００６８】
本実施の形態では、図２６に示すように、パネル２は、第２斜辺１７ｂに沿って位置する第３側面２３を有する。図３５に示すように、ケース１は、第３側面２３に対向する第３部位７７を備える。ケース１のうち第１斜辺１７ａの近傍部分の方が第２斜辺１７ｂの近傍部分より変形しやすい。ケース１のうち第１斜辺１７ａの近傍部分とは、図３７に示した領域６６である。ケース１のうち第２斜辺１７ｂの近傍部分とは、図３７に示した領域６７である。第１側面２１と第１部位７５との間の長さは、第３側面２３と第３部位７７との間の長さより長い。この構成を採用することにより、変形しやすい領域に対応するようにして、パネル２の側面とケース１の一部との間の距離が長くなっているので、落下などによる衝撃が電子機器に加わった際に、ケース１の変形した部分がパネル２に負荷を与えてパネル２を破損させる確率を効果的に低減させることができる。
【００６９】
なお、上記各実施の形態では、パネルの１ヶ所にのみ第１凹みがある例を示したが、パネルの複数箇所に第１凹みがある構成であってもよい。上記各実施の形態では、パネルが透明である例を中心に説明したが、パネルは透明な板材とは限らず不透明な板であってもよい。たとえばパネルが電子機器の外観に影響を及ぼす意匠パネルであってもよい。
【００７０】
なお、上記実施の形態のうち複数を適宜組み合わせて採用してもよい。
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電卓、電子手帳、電子辞書、電子書籍リーダー、デジタルカメラ、ビデオカメラ、ラジオ受信機、ナビゲーションシステム、測定機などを含む広い概念である。携帯電話または携帯情報端末の概念にはスマートフォンが含まれる。
【００７１】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００７２】
１  ケース、１ａ  第１筐体部品、２  パネル、２ａ  第１面、２ｂ  面、３  カバー、３ａ  第２面、３ｂ  第３面、３ｃ  第４面、３ｄ  第５面、４  第２筐体部品、６  （カバーに設けられた）貫通孔、７  通気膜、８  音響部品、１０  外形線、１１  ケース第１部分、１２  ケース第２部分、１２ｅ，１２ｆ，１２ｈ  （逸脱している）部分、１３  第１辺、１４  第１区間、１５  第１凹み、１６ａ，１６ｂ  第２区間、１７ａ  第１斜辺、１７ｂ  第２斜辺、２１  第１側面、２２  第２側面、２３  第３側面、２５  表示領域、２６ａ，２６ｂ，２６ｃ  領域、２８  張出部、３１  第１部品、３２ａ，３２ｂ  第２部品、３６  表示パネル、３７  タッチパネル、３８  フレキシブル基板、３９  開口部、５１ａ，５１ｂ  突起、５２ａ，５２ｂ  凹部、５３ａ，５３ｂ，５３ｃ，５３ｄ  突起、５４ａ，５４ｂ，５４ｃ，５４ｄ  凹部、６１ｅ，６１ｆ，６１ｈ  隙間、６５  線、６６，６７  領域、６８，６９  開口部、７０，７１  くびれ部、７５  第１部位、７６  第２部位、７７  第３部位、９０，９２  矢印、９１  方向、１０１，１０２，１０３，１０４  電子機器。
【図１】
0006706161.tif 000002
【図２】
0006706161.tif 000003
【図３】
0006706161.tif 000004
【図４】
0006706161.tif 000005
【図５】
0006706161.tif 000006
【図６】
0006706161.tif 000007
【図７】
0006706161.tif 000008
【図８】
0006706161.tif 000009
【図９】
0006706161.tif 000010
【図１０】
0006706161.tif 000011
【図１１】
0006706161.tif 000012
【図１２】
0006706161.tif 000013
【図１３】
0006706161.tif 000014
【図１４】
0006706161.tif 000015
【図１５】
0006706161.tif 000016
【図１６】
0006706161.tif 000017
【図１７】
0006706161.tif 000018
【図１８】
0006706161.tif 000019
【図１９】
0006706161.tif 000020
【図２０】
0006706161.tif 000021
【図２１】
0006706161.tif 000022
【図２２】
0006706161.tif 000023
【図２３】
0006706161.tif 000024
【図２４】
0006706161.tif 000025
【図２５】
0006706161.tif 000026
【図２６】
0006706161.tif 000027
【図２７】
0006706161.tif 000028
【図２８】
0006706161.tif 000029
【図２９】
0006706161.tif 000030
【図３０】
0006706161.tif 000031
【図３１】
0006706161.tif 000032
【図３２】
0006706161.tif 000033
【図３３】
0006706161.tif 000034
【図３４】
0006706161.tif 000035
【図３５】
0006706161.tif 000036
【図３６】
0006706161.tif 000037
【図３７】
0006706161.tif 000038